(57)【要約】安全コンセントが開始される。本発明の実施の形態に係るプラグのピンが挿入する少なくとも一つの差込口が形成されたケーシングと、ケーシングに結合され、内部に排水流路が設けられる排水ハウジング及び少なくとも一つの差込口と排水流路をそれぞれ独立して連通させるための排水通路を形成する少なくとも一つの排水管とを含み、少なくとも一つの排水管にそれぞれ設けられる排水通路は、互いに分離された排水路として役割を行う。  【選択図】図２
2021521621.tif 000002
【特許請求の範囲】
【請求項１】
プラグのピンが挿入する少なくとも一つの差込口が形成されるケーシングと、
前記少なくとも一つの差込口と前記ケーシングの外部を独立的に連通させるための排水通路を形成する少なくとも一つの排水管とを含み、
前記少なくとも一つの排水管のそれぞれに備えられた前記排水通路は、互いに分離された排水路として役割を行い、
前記排水管は、前記ケーシングの内部と前記排水通路との間に、密封を維持するように区画し、
前記少なくとも一つの排水管の内には、前記少なくとも一つの排水管の外部に設けられる電源端子と接続される接触部が設けられる安全コンセント。
【請求項２】
前記ケーシングに結合され、内部に前記排水通路と連通する排水流路が設けられる排水ハウジングをさらに含み、
前記接触部の外面と、前記少なくとも一つの排水管の内面との間に、前記排水通路を形成する第１項に記載の安全コンセント。
【請求項３】
前記電源端子は、電源線と接続する第１の電極ストリップと、前記接触部と接続する第２の電極ストリップとが、互いに短絡された状態で設けられ、
前記第１の電極ストリップと前記第２の電極ストリップは、前記接触部に挿入する前記プラグのピンによって移動する駆動部材と接続される接続端子部材によって接続される第２項に記載の安全コンセント。
【請求項４】
前記接続端子部材は、前記駆動部材と接続する連結部と、前記連結部の中央に接続されて前記接続端子部材の昇降移動を案内する案内部と、前記案内部の両側に延長して前記案内部の昇降時、前記第１の電極ストリップと前記第２の電極ストリップとを接続させる接続部とを含む第３項に記載の安全コンセント。ガイド部
【請求項５】
前記駆動部材が内蔵されるＵ字状の配管をさらに含み、
前記Ｕ字状の配管は、一側が、前記排水管を貫通して内部に延長し、他側が、前記排水管の外側に延長して、前記Ｕ字状の配管の外面と前記排水管の内面との間には、前記排水通路が形成され、
前記駆動部材は、前記Ｕ字状の配管の一側内に配置されるスプリングで支持されて、前記Ｕ字状の配管で密封を維持したまま、上下にスライディング可能な第１プッシュロッドと、前記Ｕ字状の配管の他側内に密封を維持するように配置されて、前記接続端子部材の連結部と接続され、前記第１プッシュロッドと連係されて移動可能な第２プッシュロッドと、前記第１プッシュロッドと前記第２プッシュロッドとを相互に接続する鋼線とを含む第４項に記載の安全コンセント。
【請求項６】
前記接続端子部材は、第１スプリングによって支持されて、円筒状ボスの内で昇降移動自在に設けられた案内部と、前記案内部の左右両側に延長して、前記案内部の下降時、前記第１の電極ストリップと前記第２の電極ストリップとを接続させる接続部と、前記駆動部材と連係される連結ロッドとを含み、
前記駆動部材は、前記排水管の内部で、前記第１スプリングより相対的に高い弾性力を有する第２スプリングによって弾性支持されて進入する前記プラグのピンによって下降する第１磁石と、前記排水管の外部に前記第１磁石の磁力によってともに移動し、前記連結ロッドが支持される第２磁石とを含む第３項に記載の安全コンセント。
【請求項７】
プラグと前記プラグのピンが挿入可能なプラグの差込部が、少なくとも一つ以上設けられるケーシングと、
前記ケーシングの内部に設けられ、前記プラグのピンと電気的に接続されるように設けられる電源端子とを含み、
前記プラグ及びプラグのピンが前記ケーシングに挿入したときにのみ、前記電源端子が通電されるように設けられる安全コンセント。
【請求項８】
前記ケーシングのプラグの差込部は、
二つのプラグのピン差込口と、接地口を含み、
前記電源端子は、
前記二つのプラグのピン差込口のそれぞれに挿入されるプラグのピンと電気的に接続され、それぞれ互いに短絡された第１の電極ストリップと第２の電極ストリップとを含む一対の電源端子で構成され、
前記第１の電極ストリップと前記第２の電極ストリップを選択的に接続するように、第１スプリングに支持された状態で、前記ケーシングの内で上下に移動可能に設けられる接続端子部材と、
前記接続端子部材と連係し、前記二つのプラグのピン差込口と前記接地口との内部にそれぞれ挿入する前記プラグのピンにより移動可能であり、前記二つのプラグのピン差込口と前記接地口との両方に、前記プラグの３つのピンのすべてが挿入したときにのみ、前記第１の電極ストリップと前記第２の電極ストリップとを通電させるため、前記接続端子部材を移動させるように設けられる駆動部材とを含む第７項に記載の安全コンセント。
【請求項９】
前記接続端子部材は、前記第１スプリングによって支持されて昇降移動可能に設けられる案内部と、前記案内部の移動時、前記第１の電極ストリップと前記第２の電極ストリップとを接続させる接続部と、前記駆動部材と連係される連結ロッドとを含む第８項に記載の安全コンセント。
【請求項１０】
前記駆動部材は、
前記第１スプリングより相対的に高い弾性力を有する第２スプリングによって弾性支持されて、進入する前記プラグのピンによって下降する第１磁石と、
前記第１磁石の磁力によってともに移動して、前記連結ロッドが支持される第２磁石とを含む第９項に記載の安全コンセント。
【請求項１１】
前記駆動部材は、前記第１スプリングより相対的に高い弾性力を有する第２スプリングによって弾性支持されて、進入する前記プラグのピンによって加圧され、前記接続端子部材と連係して昇降移動可能な部材で設けられる第９項に記載の安全コンセント。
【請求項１２】
前記ケーシングのプラグの差込部には、第１プッシュホール及び複数のピンホールが設けられ、
前記ケーシングの内部に結合され、前記第１プッシュホールと連通する線上に配置される第２プッシュホールと、前記複数のピンホールと連通する線上に配置される複数の端子穴が設けられる第１ブロックと、
前記第１ブロックに締結可能に設けられる第２ブロックと、
前記第２ブロックに設けられて前記電源端子と接続される電源部とを含む第７項に記載の安全コンセント。
【請求項１３】
前記第１プッシュホール及び第２プッシュホールとを貫通して配置されるプッシュボタンとをさらに含む第１２項に記載の安全コンセントント。
【請求項１４】
前記電源部は、
第１の電極ストリップ部と、前記第１ブロックに前記第１の電極ストリップと離隔された状態で設けられる第２の電極ストリップ部とを備え、
前記プラグの挿入時には、前記第２ブロックのスライディングによって、前記第１の電極ストリップ部と前記第２の電極ストリップ部とが接触して通電されるようにし、前記プラグの非挿入時には、前記第１の電極ストリップ部と第２の電極ストリップ部とが離隔されて非通電されるようにする第１２項に記載の安全コンセント。
【請求項１５】
前記複数のピンホールは、
前記プラグのピンが、スムーズに挿入されるようにガイドするガイド部とをさらに含み、
前記ガイド部は、
複数個が設けられ、前記ピンホールの内周面から突出または陥没形成され、前記複数のガイド部の間には、離隔された空間の流入通路が形成され、
前記ガイド部は、
前記プラグのピンの挿入時に、接触する部位が傾斜するように形成される傾斜部含み、
前記傾斜部は、突出又は陥没形成されるよう設けられるか、または突出または陥没形成されず、傾斜路だけで設けられ、
前記第２の電極ストリップ部は、
内周面に陥没形成された排水流路が形成され、前記第１ブロックの成形時ともにインサート射出成形される第１４項に記載の安全コンセント。
【請求項１６】
一側が、第２スプリングを通じて前記第１ブロックによって支持され、他側が、第２ブロックを支持する第２ロケット部をさらに含み、
前記第２ロケット部は、
前記第２プッシュホールの側面を貫通して前記プッシュボタンと接するように設けられ、前記プラグの挿入に起因する前記プッシュボタンの下降時、前記第２ロケット部は、前記第２プッシュホールの外側へスライディングし、前記プラグの非挿入または離脱に起因する前記プッシュボタンの上昇時、前記第２ロケット部は、前記第２プッシュホールの内側へスライディングするように設けられ、
前記第２ロケット部は、
前記プッシュボタンに陥没形成される案内部に挿入され、
前記プラグの挿入に起因する前記プッシュボタンの下降時、前記第２ロケット部は、前記案内部から離脱されて、前記第２プッシュホールの外側へスライディングするように設けられる第１３項に記載の安全コンセント。
【請求項１７】
一側が第１スプリングを通じて前記第１ブロックによって支持され、他側が第２ブロックを支持する第１ロケット部と、
一側が第３スプリングを通じて前記第１ブロックによって支持され、他側が第２ブロックを支持する第３ロケット部とをさらに含み、
前記第１ロケット部及び前記第３ロケット部のそれぞれは、前記複数の端子穴の側面を貫通するように設けられる第１６項に記載の安全コンセント。
【請求項１８】
一側が前記第１ブロックによって支持され、他側が前記第２ブロックを加圧する第４スプリングとをさらに含み、
前記第１、２、３スプリングのそれぞれは、弾性力が前記第４スプリングの弾性力よりも大きく設けられる第１７項に記載の安全コンセント。
【請求項１９】
前記ケーシングの下部に設けられ、前記第１ブロックを通過して流入された水を排出する排出通路が設けられる排水ハウジングとをさらに含み、
前記排水ハウジングは、
複数の第２排水管が設けられ、前記複数の第２排水管は、前記第１プッシュホールと前記複数のピンホールと連通するように設けられ、
一側が前記第２排水管によって支持され、他側が前記プッシュボタンを加圧するように設けられる第５スプリングをさらに含む第１３項に記載の安全コンセント。
【請求項２０】
前記プラグの差込部に被さる軟質のパッキン部をさらに含み、
前記パッキン部は、
前記第１プッシュホールと前記複数のピンホールに対応する数のパッキン穴と、前記パッキン穴の周囲に突出又は陥没形成されるように設けられるパッキング片と、前記パッキン穴を区別するために前記パッキング部の上面から所定の高さで突出または陥没形成される少なくとも一つ以上の区画壁とを含む第１２項に記載の安全コンセント。
【発明の詳細な説明】
【技術分野】
【０００１】
本発明は、安全コンセントに関するものであり、より詳細には、プラグを差し込んだときにのみ通電できるように設けられ、電気の極性ごとに分離された排水管によって、水の流入に関わらず、感電や短絡を防止する機能を持つため、安全性が十分に確保される安全コンセントに関するものである。
【背景技術】
【０００２】
一般的に、家庭、事務所などの室内空間や屋外の作業現場などの外部空間から電気を使用する場合には、壁やマルチタップに設けられるコンセントにプラグを差し込んで電気を供給される。
【０００３】
コンセントは、建物の内、外壁や船舶、列車、飛行機などの電気が使用されるすべての場所で電気プラグを差し込んで使用する一般的なコンセントと、マルチタップなどに設けられて電気プラグを差し込んで使用できるコンセントとを含む。
【０００４】
しかしながら、コンセントは、外部に露出されて使用する場合がほとんどであるため、外部からの各種異物が内部に浸透しやすい。例えば、水気や湿気の多い場所でコンセントを使用する場合、水気や湿気がコンセントの内に浸透して、短絡や感電などの安全事故が発生する恐れがある。また、コンセントは、プラグのピンが挿入される穴に金属材のものが挿入されて、安全事故が発生することも頻繁である。
【０００５】
したがって、安全性を十分に確保することができる新しい概念の安全コンセントが必要である。
【発明の概要】
【発明が解決しようとする課題】
【０００６】
本実施の形態は、プラグを挿入した場合にのみ通電できるように設けられて、安全性が十分に確保される安全コンセントを提供しようとする。
【０００７】
また、本実施の形態は、安全コンセントに流入した流体を排出することができる通路が提供されて、短絡や感電を予防することができる。
【課題を解決するための手段】
【０００８】
本発明の一側面によると、プラグのピンが挿入する少なくとも一つの差込口が形成されるケーシングと、前記少なくとも一つの差込口と前記ケーシングの外部を独立的に連通させるための排水通路を形成する少なくとも一つの排水管とを含み、前記少なくとも一つの排水管のそれぞれに備えられた前記排水通路は、互いに分離された排水路として役割を行い、前記排水管は、前記ケーシングの内部と前記排水通路との間に、密封を維持するように区画し、前記少なくとも一つの排水管の内には、前記少なくとも一つの排水管の外部に設けられる電源端子と接続される接触部が設けられることができる。
【０００９】
前記ケーシングに結合され、内部に前記排水通路と連通する排水流路が設けられる排水ハウジングをさらに含み、前記接触部の外面と、前記少なくとも一つの排水管の内面との間に、前記排水通路を形成することができる。
【００１０】
前記電源端子は、電源線と接続する第１の電極ストリップと、前記接触部と接続する第２の電極ストリップとが、互いに短絡された状態で設けられ、前記第１の電極ストリップと前記第２の電極ストリップは、前記接触部に挿入する前記プラグのピンによって移動する駆動部材と接続される接続端子部材によって接続されることができる。
【００１１】
前記接続端子部材は、前記駆動部材と接続する連結部と、前記連結部の中央に接続されて前記接続端子部材の昇降移動を案内する案内部と、前記案内部の両側に延長して前記案内部の昇降時、前記第１の電極ストリップと前記第２の電極ストリップとを接続させる接続部とを含むことができる。
【００１２】
前記駆動部材が内蔵されるＵ字状の配管をさらに含み、前記Ｕ字状の配管は、一側が、前記排水管を貫通して内部に延長し、他側が、前記排水管の外側に延長して、前記Ｕ字状の配管の外面と前記排水管の内面との間には、前記排水通路が形成され、前記駆動部材は、前記Ｕ字状の配管の一側内に配置されるスプリングで支持されて、前記Ｕ字状の配管で密封を維持したまま、上下にスライディング可能な第１プッシュロッドと、前記Ｕ字状の配管の他側内に密封を維持するように配置されて、前記接続端子部材の連結部と接続され、前記第１プッシュロッドと連係されて移動可能な第２プッシュロッドと、前記第１プッシュロッドと前記第２プッシュロッドとを相互に接続する鋼線とを含むことができる。
【００１３】
前記接続端子部材は、第１スプリングによって支持されて、円筒状ボスの内で昇降移動自在に設けられた案内部と、前記案内部の左右両側に延長して、前記案内部の下降時、前記第１の電極ストリップと前記第２の電極ストリップとを接続させる接続部と、前記駆動部材と連係される連結ロッドとを含み、前記駆動部材は、前記排水管の内部で、前記第１スプリングより相対的に高い弾性力を有する第２スプリングによって弾性支持されて進入する前記プラグのピンによって下降する第１磁石と、前記排水管の外部に前記第１磁石の磁力によってともに移動し、前記連結ロッドが支持される第２磁石とを含むことができる。
【００１４】
プラグと前記プラグのピンが挿入可能なプラグの差込部が、少なくとも一つ以上設けられるケーシングと、前記ケーシングの内部に設けられ、前記プラグのピンと電気的に接続されるように設けられる電源端子とを含み、前記プラグ及びプラグのピンが前記ケーシングに挿入したときにのみ、前記電源端子が通電されるように設けられることができる。
【００１５】
前記ケーシングのプラグの差込部は、二つのプラグのピン差込口と、接地口を含み、前記電源端子は、前記二つのプラグのピン差込口のそれぞれに挿入されるプラグのピンと電気的に接続され、それぞれ互いに短絡された第１の電極ストリップと第２の電極ストリップとを含む一対の電源端子で構成され、前記第１の電極ストリップと前記第２の電極ストリップを選択的に接続するように、第１スプリングに支持された状態で、前記ケーシングの内で上下に移動可能に設けられる接続端子部材と、前記接続端子部材と連係し、前記二つのプラグのピン差込口と前記接地口との内部にそれぞれ挿入する前記プラグのピンにより移動可能であり、前記二つのプラグのピン差込口と前記接地口との両方に、前記プラグの３つのピンのすべてが挿入したときにのみ、前記第１の電極ストリップと前記第２の電極ストリップとを通電させるため、前記接続端子部材を移動させるように設けられる駆動部材とを含むことができる。
【００１６】
前記接続端子部材は、前記第１スプリングによって支持されて昇降移動可能に設けられる案内部と、前記案内部の移動時、前記第１の電極ストリップと前記第２の電極ストリップとを接続させる接続部と、前記駆動部材と連係される連結ロッドとを含むことができる。
【００１７】
前記駆動部材は、前記第１スプリングより相対的に高い弾性力を有する第２スプリングによって弾性支持されて、進入する前記プラグのピンによって下降する第１磁石と、前記第１磁石の磁力によってともに移動して、前記連結ロッドが支持される第２磁石とを含むことができる。
【００１８】
前記駆動部材は、前記第１スプリングより相対的に高い弾性力を有する第２スプリングによって弾性支持されて、進入する前記プラグのピンによって加圧され、前記接続端子部材と連係して昇降移動可能な部材で設けられることができる。
【００１９】
前記ケーシングのプラグの差込部には、第１プッシュホール及び複数のピンホールが設けられ、前記ケーシングの内部に結合され、前記第１プッシュホールと連通する線上に配置される第２プッシュホールと、前記複数のピンホールと連通する線上に配置される複数の端子穴が設けられる第１ブロックと、前記第１ブロックに締結可能に設けられる第２ブロックと、前記第２ブロックに設けられて前記電源端子と接続される電源部とを含むことができる。
【００２０】
前記第１プッシュホール及び第２プッシュホールとを貫通して配置されるプッシュボタンとをさらに含むことができる。
【００２１】
前記電源部は、第１の電極ストリップ部と、前記第１ブロックに前記第１の電極ストリップと離隔された状態で設けられる第２の電極ストリップ部とを備え、前記プラグの挿入時には、前記第２ブロックのスライディングによって、前記第１の電極ストリップ部と前記第２の電極ストリップ部とが接触して通電されるようにし、前記プラグの非挿入時には、前記第１の電極ストリップ部と第２の電極ストリップ部とが離隔されて非通電されるようにすることができる。
【００２２】
前記複数のピンホールは、前記プラグのピンが、スムーズに挿入されるようにガイドするガイド部とをさらに含み、前記ガイド部は、複数個が設けられ、前記ピンホールの内周面から突出または陥没形成され、前記複数のガイド部の間には、離隔された空間の流入通路が形成され、前記ガイド部は、前記プラグのピンの挿入時に、接触する部位が傾斜するように形成される傾斜部含み、前記傾斜部は、突出又は陥没形成されるよう設けられるか、または突出または陥没形成されず、傾斜路だけで設けられ、前記第２の電極ストリップ部は、内周面に陥没形成された排水流路が形成され、前記第１ブロックの成形時ともにインサート射出成形されることができる。
【００２３】
一側が、第２スプリングを通じて前記第１ブロックによって支持され、他側が、第２ブロックを支持する第２ロケット部をさらに含み、前記第２ロケット部は、前記第２プッシュホールの側面を貫通して前記プッシュボタンと接するように設けられ、前記プラグの挿入に起因する前記プッシュボタンの下降時、前記第２ロケット部は、前記第２プッシュホールの外側へスライディングし、前記プラグの非挿入または離脱に起因する前記プッシュボタンの上昇時、前記第２ロケット部は、前記第２プッシュホールの内側へスライディングするように設けられ、前記第２ロケット部は、前記プッシュボタンに陥没形成される案内部に挿入され、前記プラグの挿入に起因する前記プッシュボタンの下降時、前記第２ロケット部は、前記案内部から離脱されて、前記第２プッシュホールの外側へスライディングするように設けられることができる。
【００２４】
一側が第１スプリングを通じて前記第１ブロックによって支持され、他側が第２ブロックを支持する第１ロケット部と、一側が第３スプリングを通じて前記第１ブロックによって支持され、他側が第２ブロックを支持する第３ロケット部とをさらに含み、前記第１ロケット部及び前記第３ロケット部のそれぞれは、前記複数の端子穴の側面を貫通するように設けられることができる。
【００２５】
一側が前記第１ブロックによって支持され、他側が前記第２ブロックを加圧する第４スプリングとをさらに含み、前記第１、２、３スプリングのそれぞれは、弾性力が前記第４スプリングの弾性力よりも大きく設けられることができる。
【００２６】
前記ケーシングの下部に設けられ、前記第１ブロックを通過して流入された水を排出する排出通路が設けられる排水ハウジングとをさらに含み、前記排水ハウジングは、複数の第２排水管が設けられ、前記複数の第２排水管は、前記第１プッシュホールと前記複数のピンホールと連通するように設けられ、一側が前記第２排水管によって支持され、他側が前記プッシュボタンを加圧するように設けられる第５スプリングをさらに含むことができる。
【００２７】
前記プラグの差込部に被さる軟質のパッキン部をさらに含み、前記パッキン部は、前記第１プッシュホールと前記複数のピンホールに対応する数のパッキン穴と、前記パッキン穴の周囲に突出又は陥没形成されるように設けられるパッキング片と、前記パッキン穴を区別するために前記パッキング部の上面から所定の高さで突出または陥没形成される少なくとも一つ以上の区画壁とを含むことができる。
【発明の効果】
【００２８】
本発明の実施の形態によれば、 安全コンセントのケーシングに形成された穴を通じて流入した流体が、各極性別の排水通路を通じて排水ハウジングに早速に排水されることによって、短絡及び感電の事故が防止できるため、コンセントの安全性が格段に向上させることが可能である。
【００２９】
また、本発明の実施の形態は、コンセントの３つの穴の全てにプラグのピンが進入された場合にのみ、通電できるようにすることによって、感電の事故を防ぐことができる。
【図面の簡単な説明】
【００３０】
【図１】本発明の第１の実形態施に係る安全コンセントを示す斜視図である。
【図２】本発明の第１の実施形態に係る安全コンセントの分解斜視図である。
【図３】本発明の第１の実施形態に係る安全コンセントの一部を示した斜視図である。
【図４】図１のI−Ｉ線に沿った断面図である。
【図５】本発明の第１の実施形態に係るプラグのピンが差し込むときの動作状態図である。
【図６】本発明の第１の実施形態に係る図１のII-II線に沿った断面図である。
【図７】本発明の第１の実施形態に係る安全コンセントの排水通路を示した図である。
【図８】本発明の第２の実施形態に係る排水ハウジングの上部に配置された安全コンセントの構成を示した斜視図である。
【図９】本発明の第２の実施形態に係る安全コンセントの一部を示した斜視図である。
【図１０】図８のIII-III線に沿った断面図である。
【図１１】本発明の第１の実施形態に係る接続端子部材の連結部の支持構造を示した図である。
【図１２】本発明の第１の実施形態に係る接続端子部材の動作状態図である。
【図１３】本発明のケーシングに形成された様々な形状の穴を示した図である。
【図１４】本発明の第３の実施形態に係る３つのプラグのピンが３つの穴に挿入されるコンセントを示した図である。
【図１５】本発明の第３の実施形態に係る駆動部材を示す概略図である。
【図１６】本発明の第３の実施形態に係るプラグのピン差込口の構成を示した図である。
【図１７】本発明の第４の実施形態に係る安全コンセントの結合図である。
【図１８】本発明の第４の実施形態に係る安全コンセントの分解斜視図である。
【図１９】本発明の第４の実施形態に係る第１ブロックと第２ブロックの結合図である。
【図２０】本発明の第４の実施形態に係る第１ブロックと第２ブロックの結合された状態を上から見た図面である。
【図２１】本発明の第４の実施形態に係る端子穴と第２の電極ストリップ部を示した図である。
【図２２】図１７のＡ−Ａ線に沿って切開した断面図である。
【図２３】図２０のＢ−ＢB線に沿って切開した断面図であり、プラグの挿入前の動作状態図である。
【図２４】図２０のＢ−ＢB線に沿って切開した断面図であり、プラグの挿入後の動作状態図である。
【図２５】本発明の第４の実施形態に係る排水ハウジングを示した図である。
【図２６】本発明の第４の実施形態に係るパッキン部とガイド部を示した図である。
【図２７】本発明のパッキン部と他の実施形態に係るガイド部を示した図である。
【図２８】プラグの差込部に形成された多様な形態の穴を示した図である。
【発明を実施するための形態】
【００３１】
以下では、本発明の実施の形態を添付の図面を参照して詳細に説明する。以下の実施の形態は、本発明の属する技術分野における通常の知識を有する者に本発明の思想を十分に伝達するために提示するものである。本発明は、ここで提示した実施形態にのみ限定されず、他の形態に具体化されることもできる。図面は、本発明を明確にするために説明と関係ない部分の図示を省略し、理解を助けるために構成要素のサイズを多少誇張して表現することができる。
【００３２】
図１は、本発明の実施形態に係る安全コンセントを示す斜視図であり、図２は、本発明の実施形態に係る安全コンセントの分解斜視図であり、図３は、本発明の実施形態に係る安全コンセントの一部を示した斜視図であり、図４は、図１のI−I線に沿った断面図であり、図５は、本発明の実施形態に係るプラグのピンが進入する時の動作状態図であり、図６は、本発明の実施形態に係る図１のII-II線に沿った断面図であり、図７は、本発明の実施形態に係る安全コンセントの排水通路を示したものである。
【００３３】
図１〜図７に示すように、本発明の実施形態による安全コンセント１０は、家電製品のプラグに形成されたピン１１（図５を参照）を差し込むことができるよう、プラグのピン差込口２１が形成されたケーシング２０と、ケーシング２０の開放された下部に結合され、プラグのピン差込口２１を通じて流入した流体を排出する排水流路３１が形成された排水ハウジング３０とを含む。
【００３４】
プラグのピン差込口２１は、ケーシング２０の上面から凹んだ溝２２の内側に形成される。プラグのピン差込口２１は、２ピンまたは３ピンの方式に対応する数を持つことができる。また、ケーシング２０の上面には、必要に応じて接地口（差込口）２３が形成できる。本実施の形態では、接地口２３は、プッシュボタン７８が突出する穴になる構成について説明する。
【００３５】
ケーシング２０の上面に形成された溝２２には、シリコンパッキン４０がかぶさって、流入される流体がプラグのピン差込口２１の内に流入されることを防止することができる。
【００３６】
シリコンパッキン４０は、ケーシング２０の上面に形成された穴（差込口を意味する）２１、２３と対応する数のパッキン穴４１を備え、パッキング穴４１の周囲には、突出した円形状の顎４２が設けられて流体の流入を遮断することができる。
【００３７】
シリコンパッキン４０に形成された複数のパッキン穴４１の間には、複数のパッキン穴４１を区別するため、シリコンパッキン４０の上面から所定の高さで突出した区画壁４３が形成されて、いずれかのパッキン穴４１の周囲に流入した流体がいずれかの他のパッキング穴４１に流れることを遮断することができる。
【００３８】
シリコンパッキン４０に形成された複数のパッキン穴４１にプラグのピンが差し込んだ場合、プラグのピンとパッキン穴４１との間の隙間は、パッキング穴４１の内周に沿って設けられたリップ４４によって密封が維持できる。
【００３９】
ケーシング２０の側面には、ケーシング２０の上面に形成された溝２２から流入された流体を外部へ排水する切開孔２９が形成できる。切開孔２９は、ケーシング２０の両側面に形成することができ、ケーシング２０の両側面から溝２２の内側面まで貫通する形状で設けられる。
【００４０】
ケーシング２０の底面２４には、それぞれのプラグのピン差込口２１から下方に所定の長さで延長して、排水通路１３（図７を参照）の上部を形成する上部排水管２５がボス形状で設けられる。
【００４１】
排水通路１３は、プラグのピン差込口２１を通じて流入した流体を、排水ハウジング３０の内に形成された排水流路３１に向かって誘導するための通路である。
【００４２】
排水ハウジング３０には、プラグのピン差込口２１を通じて流入された流体を、外部へ排出するための排水流路３１が形成される。
【００４３】
排水流路３１は、排水ハウジング３０の長方向に沿って長く延長形成し、それぞれのプラグのピン差込口２１及び接地口２３とそれぞれ接続された排水通路１３と連通するように接続される。
【００４４】
排水ハウジング３０の上部には、上部排水管２５と接続するための下部排水管３２が設けられる。
【００４５】
穴２１、２３と排水流路３１は、各穴２１、２３にそれぞれ接続された排水管２５、３２により互いに独立的に形成された排水通路１３を通じて排水流路３１と連通する。
【００４６】
そして、穴２１、２３のそれぞれに接続された排水管２５、３２の内部の排水通路１３は、互いに分離された排水路として役割を行う。二つのプラグのピン差込口２１は、異なる極性を有する電源端子と接触するプラグのピン１１がそれぞれ挿入され、排水管２５、３２は、極性ごとに独立した排水通路１３を形成する。
【００４７】
下部排水管３２は、上端が、直径の拡張された拡張管３２ａの形状で設けられて上部排水管２５の下端と嵌合され、その下端が、排水ハウジング３０の上端に円筒状の結合ボス３３に嵌合される。
【００４８】
上部排水管２５と下部排水管３２が互いに接続された場合には、プラグのピン差込口２１と排水流路３１は、上部排水管２５と下部排水管３２を通じて連通する構造を有する。なお、上部排水管２５と下部排水管３２は、一体に排水管を形成するように製作してもよい。
【００４９】
上部排水管２５と下部排水管３２を連結する部位には、Ｏリング２６が設置されて密封を維持する。
【００５０】
上部排水管２５の内側には、プラグのピン１１が挿入される接触部５０が設けられ、接触部５０には、電源端子５２の第２の電極ストリップ５２ｂが上部排水管２５を貫通して外側に延長する。
【００５１】
接触部５０は、上下が開放された中空の円筒状になり、接触部５０の外面には、上部排水管２５と接触部５０との間で流体の流るが可能な間隔を形成するための間隔リブ５１が形成される。
【００５２】
また、接触部５０は、プラグのピン１１の形状に応じて様々な形状をなすことができる。
【００５３】
間隔リブ５１は、接触部５０の外面から互いに対向して設けることができ、接触部５０と上部排水管２５との間に隙間を形成し、その隙間を通じて流体が流動する排水通路１３の一部を形成するようにする。
【００５４】
電源端子５２は、電源線と接続される第１の電極ストリップ５２ａと、接触部５０と接続される第２の電極ストリップ５２ｂとが互いに短絡された状態で設けられ、第１の電極ストリップ５２ａと第２の電極ストリップ５２ｂは、接続端子部材６０によって選択的に接触される。
【００５５】
電源端子５２は、陽極の電源端子と陰極の電源端子とが向き合うように離間配置される一対を備え、一対の電源端子５２のそれぞれは、接続端子部材６０に設けられる接続部６３の導電体６３ａによって通電されることができる。
【００５６】
接続端子部材６０は、プラグのピン差込口２１を通じて差し込まれるプラグのピン１１と、プラグによって加圧されて移動するプッシュボタン７８とによってそれぞれ移動する駆動部材７０によって上部方向に移動することができる。
【００５７】
接続端子部材６０は、駆動部材７０と接続される連結部６１と、連結部６１の中央に接続されて、接続端子部材６０の昇降移動を安定的に案内する案内部６２と、一対の電源端子５２の下部を向くように案内部６２の両側から延長し、一対の電源端子５２の第１の電極ストリップ５２ａと第２の電極ストリップ５２ｂの離間された部分の下部に配置されて、上部への移動時、二つの電極ストリップ５２ａ、５２ｂを接続させる接続部６３を含む。
【００５８】
連結部６１は、平板状であり、駆動部材７０が内蔵される複数のＵ字状の配管８０の上部に位置され、案内部６２は、円筒状であり、排水ハウジング３０の上部に設けられた中空の円筒状ボス６４の内でスライディング移動自在に配置される。
【００５９】
接続部６３は、案内部６２の両側からそれぞれ外側へ延長して、対応する電極ストリップ５２ａ、５２ｂの下部に位置する三角の形状の部材で設けられる。
【００６０】
接続部６３の上端に隣り合う二つの面には、導電体６３ａが備えられて、図５に示すように、接続部６３が上部に移動すると、導電体６３ａは、互いに離れていた二つの電極ストリップ５２ａ、５２ｂを接続する。
【００６１】
駆動部材７０は、Ｕ字状の配管８０の内部に配置され、プラグのピン差込口２１を通じて進入するピン１１によって加圧される場合に移動する。
【００６２】
Ｕ字状の配管８０は、一側が下部排水管３２を貫通して下部排水管３２の内部に位置し、他端が下部排水管３２の外側に延長する。
【００６３】
下部排水管３２の内に挿入されたＵ字状の配管８０の外面と下部排水管３２の内面との間には、所定の間隔が形成されて、プラグのピン差込口２１を通じて流入した流体の排水通路１３の一部を形成する。
【００６４】
駆動部材７０は、Ｕ字状の配管８０の一側の内に配置された第１スプリング７１に支持されて、下部排水管３２の内で上下にスライディング（摺動）移動可能な第１プッシュロッド７２と、Ｕ字状の配管８０ の他側の内に配置されて、接続端子部材６０の連結部６１と接続される第２プッシュロッド７３と、第１プッシュロッド７２と第２プッシュロッド７３とを接続して、第１プッシュロッド７２の移動のとき、第２プッシュロッド７３を移動させる鋼線７４とを含む。
【００６５】
本実施の形態では、第１プッシュロッド７２の移動にしたがって第２プッシュロッド７３を移動させるための構成として鋼線７４を示したが、第１プッシュロッド７２と第２プッシュロッド７３との間に位置するＵ字状の配管８０の内に水や空気などの流体のような媒質を入れ、それを通じて移動させるように構成してもよい。
【００６６】
第１プッシュロッド７２は、Ｕ字状の配管８０の一側から密封を維持しながらスライディング移動可能な第１胴体７２ａと、第１胴体７２ａの上部に延長して、進入されるピン１１と接触可能な第１ロッド７２ｂを含む。
【００６７】
第１胴体７２ａの外周には、第１胴体７２ａの外面とＵ字状の配管８０の内面との間の密封を維持するための第１Ｏリング７２ｃが設置される。
【００６８】
Ｕ字状の配管８０の一側の上端には、第１蓋部材７５が結合されて、Ｕ字状の配管８０の開放された上部を密閉する。
【００６９】
第１蓋部材７５には、Ｕ字状の配管８０の内面と第１蓋部材７５の外面との間に、及びに第１ロッド７２ｂと第１蓋部材７５の内面との間をシールするためのＯリング
７５ａ、７５ｂが設置される。
【００７０】
図５に示すように、第１プッシュロッド７２が進入されるピン１１によって押されていくと、第１プッシュロッド７２が下方へ移動し、第１プッシュロッド７２の移動によって鋼線７４が、Ｕ字状の配管８０の他側に位置された第２プッシュロッド７３を上方へ加圧して移動させる。
【００７１】
第１プッシュロッド７２に加わる外力が除去されると、第１スプリング７１の弾性力によって第１プッシュロッド７２は、元の位置に復帰する。
【００７２】
第２プッシュロッド７３は、Ｕ字状の配管８０の他側に密封を維持しながらスライディング移動可能な第２胴体７３ａと、第２胴体７３ａの上部に延長して接続端子部材６０と接続される第２ロッド７３ｂを含む。
【００７３】
第２胴体７３ａの外周には、第２胴体７３ａの外面とＵ字状の配管８０の内面との間の密封を維持するための第２Ｏリング７３ｃが設置される。
【００７４】
Ｕ字状の配管８０の他側の上端には、第２蓋部材７６が結合されて、Ｕ字状の配管８０の開放された上部を密閉する。
【００７５】
第２蓋部材７６には、Ｕ字状の配管８０の内面と第２蓋部材７６の外面との間、及びに第２ロッド７３ｂと第２蓋部材７６の内面との間をシールするためのＯリング
７６ａ、７６ｂが設けられる。
【００７６】
第１プッシュロッド７２の移動にしたがって、鋼線７４がＵ字状の配管８０の他側に位置された第２プッシュロッド７３を上方へ加圧して移動させると、第２プッシュロッド７３の移動とともに接続端子部材６０が上方へ移動することによって、接続端子部材６０の接続部６３が、電極ストリップ５２ａ、５２ｂに接触して通電させる。
【００７７】
なお、接地口２３の下部に設けられる構成は、プラグのピン差込口２１の下部に設けられる構成と同様であり、第１プッシュロッド７２を加圧するための構成が、プラグのピン１１の代わりに、別に備えられたプッシュボタン７８によって行われる。
【００７８】
なお、円筒状ボス６４の内には、案内部６２を上方へ加圧して、接続部６３が電極ストリップ５２ａ、５２ｂに密着できるようにする第２スプリングが設けられる。
【００７９】
第２スプリングは、第１スプリング７１の弾性力より相対的に小さい弾性力を有するように設けられて、第１プッシュロッド７２に外力が作用していない状態では、案内部６２が、第１スプリング７１の弾性力によって上部に移動する第１プッシュロッド７２によって下方に移動されることによって、案内部６２の両側に配置した接続部６３は、電極端子５２から離隔される。
【００８０】
このような構成により、、図７に示すように、プラグのピン差込口２１に流入した流体は、上部排水管２５と接触部５０との間に形成される隙間と、下部排水管３２とＵ字状の配管８０ との間に形成される隙間とからなる排水通路１３に沿って排水流路３１に流れ落ち、排水流路３１に流れ落ちた流体は、排水ハウジング３０の外部に排出される。
【００８１】
このような排水通路１３は、ケーシング２０に設けられた穴２１、２３にそれぞれ設けられて、各穴２１、２３を通じて流入した流体が、排水流路３１に流れ落ちるように設けられる。
【００８２】
図６に示すように、排水ハウジング３０の内に形成される排水流路３１は、ケーシング２０に形成された穴２１、２３の数に対応する数を有するように設けられる。
【００８３】
排水流路３１は、接地口２３から落下する流体が流入されるように、中央側に位置する中央排水流路３１ａと、プラグのピン差込口２１から流れ落ちる流体が流入されるように、中央排水流路３１ａの左右両側に位置する左側及び右側排水流路３１ｂ 、３１ｃとを含み、各排水流路３１ａ、３１ｂ、３１ｃのそれぞれは、ケーシング２０に形成された穴２１、２３にて連通するように設けられる。
【００８４】
なお、排水ハウジング３０の左右の両端には、コンセントの取扱説明書、注意事項、ＡＳの方針などが挿入できる収容空間３４が設けられる。
【００８５】
以下では、本発明の他の実施形態に係る安全コンセントの接続端子部材を移動させる駆動部材について説明する。
【００８６】
図８は、本発明の他の実施形態に係る排水ハウジングの上部に配置された安全コンセントの構成を示す斜視図であり、図９は、本発明の他の実施形態に係る安全コンセントの一部を示した斜視図であり、図１０図８のIII-III線に沿った断面図であり、図１１は、本発明の実施形態に係る接続端子部材の連結部の支持構造を示したものであり、図１２は、本発明の他の実施形態に係る接続端子部材の動作状態図である。
【００８７】
図８〜図１２に示すように、接続端子部材１００は、中空の円筒状ボス１１０の内で昇降移動自在に設けられた円筒状の案内部１０１と、一対の電源端子５２の上部に向かうように案内部１０１の左右の両側から延長して一対の電源端子５２の第１の電極ストリップ５２ａと第２の電極ストリップ５２ｂとの離間された部分の上部に位置されて、下部へ移動のとき、二つの電極ストリップ５２ａ、５２ｂを接続させる一対の接続部１０２と、一対の接続部１０２との間で案内部１０１の外側に延長して、駆動部材と連係される連結ロッド１０３を含む。
【００８８】
案内部１０１は、上部に設けられる第１スプリング１０４によって一対の接続部１０２が、電極ストリップ５２ａ、５２ｂと接触する方向に弾性支持される。
【００８９】
接続部１０２は、その下部に位置する電極ストリップ５２ａ、５２ｂとかみ合うように逆三角形状の部材で設けられ、接続部１０２の下部に隣り合う二つの面には、導電体１０２ａが設けられて、接続部１０２が下部へ移動すると、導電体１０２ａが、互いに離れていた二つの電極ストリップ５２ａ、５２ｂを接続させる。
【００９０】
排水管１２０の内部には、進入されるピン１１が接触する接触部１３０が設けられ、接触部１３０の外面には、間隔リブ１３１が設けられて、接触部１３０と排水管１２０との間に排水通路１３３を形成する。
【００９１】
接続端子部材１００は、進入されるピン１１によって移動する駆動部材により下方へ移動自在に設けられる。
【００９２】
駆動部材は、排水管１２０の内部に配置される第１磁石１４０と、排水管１２０の外部に配置される第２磁石１５０とを含む。
【００９３】
排水管１２０の内部の接触部１３０の下部には、第２スプリング１４１によって弾性支持される第１磁石１４０が配置され、排水管１２０の外部には、第１磁石１４０との磁力によって第１磁石１４０とともに移動する第２磁石１５０とが設けられる。
【００９４】
なお、第１磁石１４０と第２磁石１５０は、磁気力によって互いに引力が発生する部材を意味する。
【００９５】
第２スプリング１４１は、外力が作用していない場合には、第１磁石１４０を上方へ加圧する。第２スプリング１４１は、第１スプリング１０４よりも大きい弾性力を持つようにすることによって、外力が作用していない状態では、第１スプリング１０４によって下方へ加圧される接続端子部材１００を上方へ移動させることができる力を第１磁石１４０に提供し、第１磁石１４０の移動とともに移動する第２磁石１５０によって、接続端子部材１００は、電極ストリップ５２ａ、５２ｂから離隔される。
【００９６】
プラグのピン差込口２１の内部にピン１１が進入すると、ピン１１によって、第１磁石１４０が下部へ移動し、第１磁石１４０の磁力によって第２磁石１５０がともに
下部へ移動することになる。
【００９７】
接続端子部材１００の連結部１０３は、３つの排水管１２０の外面のそれぞれに設けられた第２磁石１２０の上に支持される３つの支持端部１０３ａ、１０３ｂ、１０３ｃを備える。
【００９８】
接続端子部材１００は、３つの支持端部１０３ａ、１０３ｂ、１０３ｃが第２磁石１２０の上に支持された状態にあるため、３つの排水管１２０のそれぞれに設けられた第２磁石１５０の全てが下部へ移動していない状態では、接続端子部材１００が下部へ移動することができない。
【００９９】
したがって、図１２に示すように、３つの排水管１２０のそれぞれに設けられた第２磁石１５０の全てが下部へ移動すると、案内部１０１が第１スプリング１０４の弾性力によって下部へ移動し、案内部１０１の移動とともに接続部１０２が、下部に移動して、二つの電極ストリップ５２ａ、５２ｂと接触することになる。図１２に示した構成は、プラグのピン１１が２つで構成されている場合、３つの穴のいずれかが、プラグのピン１１の代わりに接地口２３から突出したプッシュボタン７８によって、第１磁石１４０を加圧する構成である。
【０１００】
なお、安全コンセントの接続端子部材を移動させる駆動部材は、センサータイプで構成してもよい。一例として、３つの排水管１２０の内部に進入されるピン１１の位置を感知するセンサーを備え、３つの排水管１２０の内部にすべてが進入した場合にのみ、接続端子部材を電源端子と接触する方向へ移動させるソレノイド駆動装置を用いることができる。ソレノイド駆動装置は、電気コイルに電源が印加される時生じる磁場によってプランジャーが移動して接続端子部材を移動させるように構成してもよい。
【０１０１】
また、本実施の形態では、駆動部材が３つの穴に差し込まれるプラグのピン、または２つの穴に差し込まれるプラグのピン及びプッシュボタンによって移動する磁石を用いて、接続端子部材を移動させる構造を開始するが、図１５に示すように、３つの支持端部を有する接続端子部材１００を移動させる駆動部材は、排水管の構造なしにプラグのピン１１によって干渉される別の構造物３００（例えば、スプリング３０１によって支持されて上下に昇降移動可能な部材３０２）、すなわち、接続端子部材１００の３つの支持端部をそれぞれ支持する３つの構造物３００を設けて、プラグのピンのすべてが差し込まれて３つの構造物３００が接触した場合にのみ、第１の電極ストリップと第２の電極ストリップを通電させるように構成してもよい。
【０１０２】
なお、図１３に示すように、ケーシング２０に設けられる穴は、国によって異なるプラグのピンの形状に応じて、様々な形状を有することができる。
【０１０３】
図１４は、本発明の実施形態に係る３つのプラグのピンが差し込まれる３つの穴２１とスイッチ２００が設けられるコンセントを示したものである。
【０１０４】
図１４に示すように、スイッチ２００の操作によって電源をオン/オフする構成の場合には、スイッチ２００の下部構造に蛇腹形状のハウジング２１０を通じて流体の流入を遮断するように構成してもよい
また、プラグに接地ピンを含む３つのピンが設けられる場合には、前述のプッシュボタン７８の構成は省略し、プラグの３つのピンが３つの穴２１に差し込まれる ことによって動作するように構成してもよい。
【０１０５】
図１６は、本発明の他の実施形態に係る可変型プラグのピン差込口の構造を示したものである。
【０１０６】
図１６に示すように、プラグのピン差込口２１の周囲には、環状で凹んだ環溝３３０が形成され、その環溝３３０には、内側に設けられたスプリング３３１に支持されて環溝３３０の上下に移動可能な円筒状のシール部材３３２が設けられる。
【０１０７】
円筒状のシール部材３３２は、下端がスプリング３３１に支持され、下端から内側方向に延長する係止片３３３が環溝３３０の内側に設けられた係止突起３３４にかかりとめることによって、環溝３３０から離脱されない。
【０１０８】
プラグのピン１１が、プラグのピン差込口２１に差し込まれる場合、環溝３３０の上部に突出したシール部材３３２の上端がプラグ３３５に形成されたシール部材の収容溝３３６に挿入されることによって、密封性を維持することができる。
【０１０９】
図１７ないし図２８に示すように、本発明に係る安全コンセントは、プラグの差込部１１２０が少なくとも一つ以上設けられ、プラグの差込部１１２０は、第１プッシュホール１１４０及び複数のピンホール１１６０が設けられるケーシング１１００と、ケーシング１１００の内部に結合され、第１プッシュホール１１４０と連通する線上に配置される第２プッシュホール１２４０と複数のピンホール１１６０と連通する線上に配置される複数の端子穴１２６０とが設けられる第１ブロック１２００と、第１ブロック１２００に摺動可能に締結される第２ブロック１３００と、第２ブロック１３００に設けられて電源端子と接続された第１の電極ストリップ部１５２０と第１ブロック１２００に設けられて第１の電極ストリップ部１５２０と離隔された状態で備える第２の電極ストリップ部１５４０とが備えられる電源部１５００とを含む。
【０１１０】
本発明の安全コンセントは、建物の内、外部の壁に埋め込まれるか、または自動車、クルーズ、列車、飛行機などの運航手段などの電気を使用するすべてのものに設けられる一般的なコンセントを含み、電力供給の制限的な距離を克服するために使用されるマルチタップに設けられたコンセントも含む概念である。
【０１１１】
本発明の安全コンセントは、プラグの差込部１１２０が少なくとも一つ以上もつケーシング１１００に設けられる。ケーシング１１００は、建物や運航手段などの電気を使用するすべての場所に埋立や露出する形態で設けられる場合、およびにマルチタップのハウジングをなす場合の両方を含む。プラグの差込部１１２０は、図１のように陥没形成される溝部の形状に設けられたり、これとは異なる陥没してない形状で設けられてもよい。
【０１１２】
プラグの差込部１１２０は、プラグ及びプラグのピンが差し込まれる空間を提供することができる。そして、プラグの差込部１１２０は、後述するプッシュボタン１４００が設けられる第１プッシュホール１１４０と、プラグのピンが挿入できる複数のピンホール１１６０とが設けられる。
【０１１３】
なお、第１プッシュホール１１４０、複数のピンホール１１６０、及び複数の第１排水管１１１０は、示したように、ケーシング１１００とは別に備えられる胴体部１１０５に設けられて、ケーシング１１００のプラグの差込部１１２０に締結されるか、又は挿入されることができる。しかし、これとは異なり、各国家別のコンセント形状によってケーシング１１００と胴体部１１０５は、別の構成ではなく、一体で構成してもよい。本発明は、このように胴体部１１０５が、ケーシング１１００とは別の構成で設けられる場合と、一体の構成で設けられる場合の両方を含む。
【０１１４】
本明細書の図面では、２ピン方式のプラグのための２つのピンホール１１６０が設けられるものを示したが、本発明は、３ピン方式のプラグのための３つのピンホール１１６０が設けられるものも含むことができる。３ピン方式のプラグの場合、第１プッシュホール１１４０が、ピンホール１１６０の役割を実行し、後述する第２プッシュホール１２４０が端子穴１２６０の役割を実行することができ、端子穴に電源接続端子が設けられて、総３つのピンホールがあるため、接地口または３相のコンセントの用途にも使用することができる。なお、図２８のようにプラグの差込部１１２０の穴（差込口）は、国ごとに使用するプラグの形状によって様々な形状を有することができる。
【０１１５】
そして、ケーシング１１００の側面には、ケーシング１１００のプラグの差込部１１２０に流入した水を外部に排出することができる切開孔１１３０が形成できる。切開孔１１３０は、ケーシング１１００の両側面や斜面に形成することができ、ケーシング１１００の両側面からプラグの差込部１１２０の内側面まで貫通する形状で有する。また、ケーシング１１００は、第１プッシュホール１１４０と、複数のピンホール１１６０から下部に所定の長さで延長する複数の第１排水管１１１０を設けることができる。
【０１１６】
そして、第１ブロック１２００は、ケーシング１１００の内部に結合され、第１プッシュホール１１４０と連通する線上に配置される第２プッシュホール１２４０と、複数のピンホール１１６０と連通する線上に配置される複数の端子穴１２６０が設けられる。
【０１１７】
具体的には、第１ブロック１２００は、ケーシング１１００の第１排水管１１１０に嵌合されたり締結されたりすることができる。そして、第１ブロック１２００の第２プッシュホール１２４０は、前述した第１プッシュホール１１４０と連通する線上に配置され、後述するプッシュボタン１４００が配置される。第１ブロック１２００の複数の端子穴１２６０は、複数のピンホール１１６０と対応する数で設けられ、複数のピンホール１１６０と連通する線上に配置される。したがって、プラグの挿入時、プラグのピンがケーシング１１００のピンホール１１６０に挿入され、その後、第１ブロックの端子穴１２６０に挿入されることになる。
【０１１８】
複数の端子穴１２６０には、後述する第２の電極ストリップ部１５４０が挿入または結合されることができる。プラグのピンが端子穴１２６０に挿入される場合、端子穴１２６０に設けられた第２の電極ストリップ部１５４０と接触することができる。第２の電極ストリップ部１５４０は、後述する電源端子と接続された第１の電極ストリップ部１５２０と接触して通電されることができる。
【０１１９】
そして、第２ブロック１３００は、第１ブロック１２００に摺動自在に締結することができる。具体的には、図１８ないし図１９のように、第１ブロック１２００は、側面から内側に陥没形成するか、または側面から外側に突出するように形成したレール１２２０を備えることができ、第２ブロック１３００は、第１レール１２２０に対応する形状で突出したり、又は陥没するように形成した第２レール１３２０を備えることができる。したがって、第１ブロック１２００の第１レール１２２０に第２ブロック１３００の第２レール１３２０が挿入して締結されるか、又は第２ブロック１３００の第２レール１３２０に第１ブロック１２００の第１レールが挿入して締結されることができる。したがって、第１ブロック１２００の第１レール１２２０に沿って、第２ブロック１３００が摺動自在に設けられることができる。図２ないし図３には、第１レール１２２０が陥没形成される溝部であり、第２レール１３２０が突出形成されるフランジの形状を有するが、本発明の場合、第１レール１２２０が突出形成されるフランジ形状を有し、第２レール１３２０が陥没形成される溝部に有してもよい。
【０１２０】
そして、電源部１５００は、第１の電極ストリップ部１５２０と第２の電極ストリップ部１５４０とで構成することができる。第１の電極ストリップ部１５２０は、第２ブロック１３００に設けられ、電源線と接続することができる。そして、第２の電極ストリップ部１５４０は、第１ブロック１２００に設けられ、第１の電極ストリップ部１５２０と離隔された状態で設けられる。
【０１２１】
したがって、プラグの差込部１１２０にプラグとプラグのピンを挿入する場合、第２ブロック１３００が摺動することによって、第２ブロック１３００の第１の電極ストリップ部１５２０と、第１ブロック１２００の第２の電極ストリップ部１５４０とが接触して通電することになる。
【０１２２】
そして、本発明の安全コンセントは、第１プッシュホール１１４０及び第２プッシュホール１２４０を貫通して配置されるプッシュボタン１４００をさらに含むことができる。プラグの差込部１１２０にプラグを挿入するとき、プッシュボタン１４００は、下方に摺動して後述する第２ロケット部Ｒ２を加圧することができる。そして、プラグを挿入するとき、複数のプラグのピンは、後述する第１、第３ロケット部Ｒ１、Ｒ３を加圧することができる。したがって、第１、２、３ロケット部Ｒ１、Ｒ２、Ｒ３の全てが加圧される場合、第２ブロック１３００が摺動可能な空間が形成され、第２ブロック１３００が摺動することによって、第１の電極ストリップ部１５２０と第２の電極ストリップ部１５４０とが接触することになる。
【０１２３】
より具体的には、電源部１５００は、プラグの挿入時、第２ブロック１３００が摺動して、第１の電極ストリップ部１５２０と第２の電極ストリップ部１５４０とが接触して通電されるようにし、プラグの非挿入時、第１電極ストリップ部１５２０と第２の電極ストリップ部１５４０とが離隔して非通電されるようにすることができる。
【０１２４】
すなわち、本発明の安全コンセントは、プラグの差込部１１２０にプラグが挿入された場合にのみ、電源部１５００の第１の電極ストリップ部１５２０と第２の電極ストリップ部１５４０とが接触して通電されるように設けられている。したがって、ピンホール１１６０及び端子穴１２６０に金属材の異物が挿入した場合でも、第１の電極ストリップ部１５２０と第２の電極ストリップ部１５４０とが離隔して接触していないため、感電や短絡を防止することができる。
【０１２５】
そして、本発明の安全コンセントでは、複数のピンホール１１６０が、プラグのピンがスムーズに挿入可能にガイドするガイド部１１７０をさらに含むことができる。ガイド部１１７０は、示したように、ピンホール１１６０と一体に成形されたり、またはピンホール１１６０とは別に設けられてピンホール１１６０の内周面に嵌合されるように、別の構成で設けらてもよい。
【０１２６】
なお、ガイド部１１７０は、図２６ないし図２７のように陽刻の形状や陰刻の形状などの様々な形状に設けられる。例えば、図２６のように、ガイド部１１７０は、ピンホール１１６０の内周面から薄い厚さを有する突出したフランジの形状で設けられたり、図２７のように、所定の厚さを有する突出したフランジの形状に設けられてもよい。
【０１２７】
そして、ガイド部１１７０は、複数に設けられ、ピンホール１１６０の内周面から突出または陥没形成され、複数のガイド部１１７０は、互いに離隔されるように設けられる。なお、それぞれのガイド部１１７０との間が離間してあるため、流入した水が通過できる離隔された空間として流入通路１０１０を形成することができる。したがって、プラグの差込部１１２０に流入した水は、流入通路１０１０を通じてケーシング１１００の下側に誘導されることができる。そして、流入通路１０１０は、後述する排水流路１０２０と接続されて流入した水を排水ハウジング１６００の側に誘導することができる。
【０１２８】
また、ガイド部１１７０は、プラグのピンの挿入時に、接触する部位が傾斜するように形成される傾斜部１１７１を含むことができる。傾斜部１１７１は、ガイド部１１７０の上部に設けられ、プラグのピンの挿入時に、接触する部位で、スムーズにプラグのピンが内側に案内されるように傾斜が形成できる。そして、傾斜部１１７１は、ガイド部１１７０の形状が傾斜部１１７１まで延長して突出または陥没される形状となるか、或いは突出または陥没される形状なしに傾斜路だけで構成してもよい。また、第１プッシュホール１１４０も、ガイド部１１７０の傾斜部１１７１のように上部が傾斜１１４１するように形成されて、プラグのピンの挿入時に、接触する部位でスムーズにプラグのピンが内側に案内可能にすることができる。
【０１２９】
そして、第２の電極ストリップ部１５４０は、端子穴１２６０に嵌合するように設けられ、端子穴１２６０に嵌合時、端子穴１２６０の内周面と第２の電極ストリップ部１５４０の外周面との間に、離隔された空間として排水流路１０２０が形成されることができる。すなわち、端子穴１２６０の内周面と第２の電極ストリップ部１５４０の外周面との間に、離隔された排水流路１０２０が形成されることによって、後述する排水ハウジング１６００側に、流入した水を誘導することができる。
【０１３０】
排水流路１０２０は、上部と下部のそれぞれが、前述した流入通路１０１０及び後述する排水ハウジング１６００の排出通路１６４０と連通されることができる。そして、プラグの差込部１１２０部に流入された水は、切開孔１１３０を通じて１次的にケーシング１１００の外部に排水され、複数のピンホール１１６０に流入した水は、流入通路１０１０と排水流路１０２０と排出通路１６４０とを通過した後、ケーシング１１００の外部に排水されることができる。
【０１３１】
また、第２の電極ストリップ部１５４０は、第１ブロック１２００とインサート射出成形してもよい。すなわち、第１ブロック１２００の成形時、第２の電極ストリップ部１５４０が一体に成形されるため、第１ブロック１２００の端子穴１２６０と第２の電極ストリップ部１５４０との結合の剛性を十分に確保することができる。なお、この場合、第２の電極ストリップ部１５４０の内周面には、陥没形成された排水流路が形成でき、その排水流路を通じて流入された水が、排水ハウジング側に誘導されることができる。
【０１３２】
そして、本発明の安全コンセントは、一側が、第２スプリングＳ２を介して第１ブロック１２００により支持され、他側が、第２ブロック１３００を支持する第２ロケット部Ｒ２をさらに含むことことができる。
【０１３３】
より具体的に、第２ロケット部Ｒ２は、第２プッシュホール１２４０の側面を貫通してプッシュボタン１４００と接するように設けられ、プラグの挿入に起因するプッシュボタン１４００の下降時、第２ロケット部Ｒ２は、第２プッシュホール１２４０の外側へスライディングし、プラグの非挿入または離脱に起因するプッシュボタン１４００の上昇時、第２ロケット部Ｒ２は、第２プッシュホール１２４０の内側へスライディングするように設けられる。
【０１３４】
そして、第２ロケット部Ｒ２は、プッシュボタン１４００に陥没形成される案内部１４２０に挿入され、プラグの挿入に起因するプッシュボタン１４００の下降時、第２ロケット部Ｒ２は、案内部１４２０から離脱されて、第２プッシュホール１２４０の外側へスライディングするように設けられる。
【０１３５】
したがって、プッシュボタンの下降時、第２ロケット部Ｒ２は、案内部１４２０から離脱するとともに、第２のプッシュホール１２４０の外側へスライディングし、その結果、第２ロケット部Ｒ２は、第２スプリングＳ２を加圧して圧縮させる。これに対し、プッシュボタン１４００が再上昇すると、第２スプリングＳ２が第２ロケット部Ｒ２を加圧することによって、第２ロケット部Ｒ２は、第２プッシュホール１２４０の内側へスライディングすることができる。
【０１３６】
また、本発明の安全コンセントは、一側が、第１スプリングＳ１を介して第１ブロック１２００により支持され、他側が、第２ブロック１３００を支持する第１ロケット部Ｒ１と、一側が、第３スプリングＳ３を介して前記第１ブロック１２００により支持され、他側が、第２ブロック１３００を支持する第３ロケット部Ｒ３とをさらに含み、第１ロケット部Ｒ１と第３ロケット部Ｒ３のそれぞれは、複数の端子穴１２６０の側面を貫通するように設けられる。
【０１３７】
なお、複数の端子穴１２６０の側面に貫通部が形成され、この貫通部に第１及び第３ロケット部Ｒ１、Ｒ３が挿入されることになる。そして、プラグのピンの挿入時、第１及び３ロケット部Ｒ１、Ｒ３は、プラグのピンにより加圧されて第１、３スプリングＳ１、Ｓ３を圧縮させつつ、端子穴１２６０の外側へスライディングし、プラグのピンの非挿入または離脱の場合、 第１及び３ロケット部Ｒ１、Ｒ３は、第１、３スプリングＳ１、Ｓ３によって端子穴の内側へスライディングすることができる。
【０１３８】
一方、本発明の安全コンセントにおいて、第１、２、３ロケット部Ｒ１、Ｒ２、Ｒ３には、図２、図７および図８のようにシール部Ａが設けられる。すなわち、第１、２、３ロケット部Ｒ１、Ｒ２、Ｒ３が第１ブロック１２００に挿入されるように、第１ブロック１２００に形成された貫通部と、第１、２、３ロケット部Ｒ１、Ｒ２、Ｒ３との間に気密が必要な場合、シール部Ａが設けられる。シール部Ａは、ゴムなどの弾性材で設けられたり、Ｏリング（Ｏ-Ｒｉｎｇ）の形状で設けられてもよい。すなわち、第２プッシュホール１２４０及び複数の端子穴１２６０に流入された水が、第１ブロック１２００の第１、２、３ロケット部Ｒ１、Ｒ２、Ｒ３が挿入される貫通部を通って、第１、２、３スプリングＳ１、Ｓ２、Ｓ３の側へ漏れ出ないように、シール部Ａが密封を維持するようにすることができる。なお、貫通部に密封が必要な場合、シール部Ａによって、貫通部と第１、２、３ロケット部Ｒ１、Ｒ２、Ｒ３との間で密封を維持することができる。
【０１３９】
そして、本発明の安全コンセントは、一側が第１ブロック１２００によって支持され、他側が第２ブロック１３００を加圧する第４スプリングＳ４をさらに含むことができる。より具体的に、第４スプリングＳ４は、一側が第１ブロック１２００によって支持され、他側が第２ブロック１３００を加圧するように、第１ブロック１２００と第２ブロック１３００との間に介在されることができる。したがって、第２ブロック１３００のスライディング可能な空間が形成される場合、第４スプリングＳ４が第２ブロック１３００を加圧して、第２ブロック１３００がスライディングすることができる。この場合には、第１ブロック１２００の第２電極ストリップ部１５４０と、第２ブロック１３００の第１の電極ストリップ部１５２０とが接触して、電気的に接続することができる。
【０１４０】
なお、第１、２、３スプリングＳ１、Ｓ２、Ｓ３のそれぞれは、弾性力が第４スプリングＳ４の弾性力よりも大きくなるように設けられる。したがって、第１、２、３スプリングＳ１、Ｓ２、Ｓ３のいずれかのスプリングも圧縮されなければ、第２ブロック１３００のスライディング可能な空間が形成できないため、第４スプリングＳ４が第２ブロック１３００を加圧しても、第２ブロック１３００がスライディングできない。
【０１４１】
そして、本発明の安全コンセントは、プラグの挿入時、プッシュボタン１４００が下降されることによって、第２ロケット部Ｒ２が、第２プッシュホール１２４０の外側へスライディングしながら第２スプリングＳ２を加圧し、プラグのピンにより、第１、３ロケット部Ｒ１、Ｒ３が、複数の端子穴１２６０の外側へスライディングしながら第１、３スプリングＳ１、Ｓ３を加圧し、第４スプリングＳ４が、第２ブロック１３００を加圧して第２ブロック１３００がスライディングできるように設けられる。したがって、第２ブロック１３００がスライディングした場合、第１の電極ストリップ部１５２０と第２の電極ストリップ部１５４０とが接触して電気的に接続することができる。
【０１４２】
すなわち、本発明の安全コンセントは、プッシュボタン１４００が下降するとともに、複数のピンホール１１６０と端子穴１２６０とに物体が挿入されて、第１、２、３ロケット部Ｒ１、Ｒ２、Ｒ３のすべてがスライディングした場合にのみ、第２ブロック１３００がスライディングすることができる。
【０１４３】
したがって、プッシュボタン１４００のみが下降した場合、第２ロケット部Ｒ２は、第２プッシュホール１２４０の外側へスライディングするが、第１、３ロケット部Ｒ１、Ｒ３はスライディングしないため、第２ブロック１３００がスライディングすることができない。そして、一つのピンホール１１６０と端子穴１２６０とに物体が挿入される場合と、複数のピンホール１１６０と端子穴１２６０とに物体が挿入される場合であっても、プッシュボタン１４００がともに下降しなければ、第２ロケット部Ｒ２がスライディングしないため、第２ブロック１３００がスライディングすることができない。したがって、複数のピンホール１１６０と端子穴１２６０とに金属材の異物や箸などが挿入されても、第１の電極ストリップ部１５２０と第２の電極ストリップ部１５４０とが接触しないため、感電や短絡を防ぐことができる。
【０１４４】
そして、本発明の安全コンセントは、ケーシング１１００の下部に設けられ、第１ブロック１２００を通過して流入された水を排出する排出通路が設けられる排水ハウジング１６００をさらに含むことができる。排水ハウジング１６００には、複数の第２排水管１６２０が設けられ、複数の第２排水管１６２０は、第１プッシュホール１１４０及び複数のピンホール１１６０と連通するようにパイプの形状を有することができる。したがって、ケーシング１１００のプラグの差込部１１２０に流入した水が、流入通路１０１０及び排水流路１０２０を通過した後、第２排水１６２０を通じて排出通路１６４０に導入され、排水ハウジング１６００に形成された排出口１６４１を通じて安全コンセントの外部に吐出されることができる。
【０１４５】
また、本発明の安全コンセントは、一側が第２排水管１６２０によって支持され、他側がプッシュボタン１４００を加圧するように設けられる第５スプリングＳ５をさらに含むことができる。第５スプリングＳ５は、一側が、排水ハウジング１６００の第２排水管１６２０の内部に形成された係止片１６２１によって支持されることができる。そして、第５スプリングＳ５は、他側がプッシュボタン１４００を加圧しするように配置されることができる。したがって、プラグの挿入に起因するプッシュボタン１４００の下降時、第５スプリングＳ５は圧縮され、プラグの非挿入または離脱時、第５スプリングＳ５は、プッシュボタン１４００を加圧してプッシュボタン１４００を上方へスライディングさせることができる。
【０１４６】
図２６は、本発明の実施形態に係るパッキン部とガイド部を示した図であり、図２７は、本発明のパッキン部と他の実施形態に係るガイド部を示した図である。そして、図２６及び図２７のそれぞれの（ａ）は、パッキング部とガイド部を一緒に示す図であり、（ｂ）は、パッキング部がかぶさっていない状態のガイド部を示した図である。
【０１４７】
なお、本発明の安全コンセントは、軟質のパッキン部１７００を備えるように設けられる。パッキン部１７００は、ゴムやシリコン材などの軟質の弾性体で備えられる。そして、パッキング部１７００は、ケーシング１１００のプラグの差込部１１２０の上面に被さる。また、パッキン部１７００は、ケーシング１１００の第１プッシュホール１１４０と、複数のピンホール１１６０とに対応する数のパッキン穴１７２０が設けられる。そして、パッキング穴１７２０の周囲には、突出または陥没形成されたパッキン片１７４０が形成できる。パッキン片１７４０は、示したように、円形状でもよいし、これとは異なり四角形またはその他の様々な形状でもよい。したがって、ケーシング１１００のプラグの差込部１１２０に流入した水は、パッキング片１７４０によって、第１プッシュホール１１４０及び複数のピンホール１１６０に流入されることが防止できる。そして、パッキング部１７００には、複数のパッキング穴１７２０の互いに空間を区分するために、所定の高さで突出または陥没形成される少なくとも一つ以上の区画壁１７６０が設けられる。したがって、いずれかのパッキン穴１７２０の周囲に流入した水が、いずれかの他のパッキング穴１７２０に流れることを防止することができる。区画壁１７６０の形状は、図２６ないし図２７のような形状や、各国のプラグの形状によって異なる様々な形状に設けられる。本発明の図面上には、パッキン片１７４０と区画壁１７６０が突出するように示したが、これに限定するものではなく、陥没形成される溝部の形状として設けられるものを含むことができる。
【０１４８】
本発明の安全コンセントは、プラグの差込部１１２０に流入した水が、ケーシング１１００の切開孔１１３０を通じて１次的に外部に排出されることができる。そして、第１プッシュホール１１４０と複数のピンホール１１６０とに流入した水は、流入通路１０１０、排水流路１０２０及び排出通路１６４０を通じて排水ハウジング１６００に誘導され、排水ハウジング１６００に誘導された水は、排出口１６４１を通じて安全コンセントの外部に吐出されることができる。
【０１４９】
そして、安全コンセントは、プラグの差込部１１２０にプラグ及びプラグのピンが挿入する場合にのみ、第１の電極ストリップ部１５２０と第２の電極ストリップ部１５４０とが接触して通電されるように設けられる。したがって、プッシュボタン１４００のみが下降した場合には、第１の電極ストリップ部１５２０と第２の電極ストリップ部１５４０とが接触されない。そして、複数のピンホール１１６０と端子穴１２６０に物体が挿入されても、プッシュボタン１４００が下降されなければ、第１の電極ストリップ部１５２０と第２の電極ストリップ部１５４０とが接触されない。
【０１５０】
したがって、本発明の安全コンセントでは、流入した水がケーシングの外部にスムーズに排出されることができ、プラグが完全に挿入した場合にのみ電気が通電することになるため、感電や短絡を十分に防止することができる。
【０１５１】
上述したように、本発明の例示的な実施例を説明したが、本発明は、これに限定されなく、当該技術分野における通常の知識を有する者であれば、次に記載する請求範囲の概念と範囲を逸脱しない範囲内で多様な変更および変形が可能であることを理解することができる。
【符号の説明】
【０１５２】
１０：コンセント
１１：ピン
１３：排水通路
２０：ケーシング
２１：プラグのピン差込口
２３：接地口
２５：上部排水管
３０：排水ハウジング
３１：排水流路
３２：下部排水管、
４０：シリコンパッキン
５０：接触部
５１：間隔リブ
５２：電源端子
６０：接続端子部材
６１：連結部
６２：案内部
６３：接続部
７０：駆動部材
７２：第１プッシュロッド
７３：第２プッシュロッド
７５：第１蓋部材
７６：第２蓋部材
７８：プッシュボタン
８０：Ｕ字状の配管
１０１０：流入通路
１０２０：排水流路
１１００：ケーシング
１１１０：第１排水管
１１２０：プラグの差込部
１１４０：第１プッシュホール
１１６０：ピンホール
１１７０：ガイド部
１２００：第１ブロック
１２４０：第２プッシュホール
１２６０：端子穴
１３００：第２ブロック
１４００：プッシュボタン
１４２０：案内部
１５００：電源部
１５２０：第１の電極ストリップ部
１５４０：第２の電極ストリップ部
１６００：排水ハウジング
１６２０：第２排水管
１６４０：排出通路
１６４１：排出口
１７００：パッキング部
１７２０：パッキング穴
１７４０：パッキン片
１７６０：区画壁
Ｒ１〜Ｒ３：第１ないし第３ロケット部
Ｓ１〜Ｓ５：第１ないし第５スプリング
【図１】
2021521621.tif 000003
【図２】
2021521621.tif 000004
【図３】
2021521621.tif 000005
【図４】
2021521621.tif 000006
【図５】
2021521621.tif 000007
【図６】
2021521621.tif 000008
【図７】
2021521621.tif 000009
【図８】
2021521621.tif 000010
【図９】
2021521621.tif 000011
【図１０】
2021521621.tif 000012
【図１１】
2021521621.tif 000013
【図１２】
2021521621.tif 000014
【図１３（ａ）】
2021521621.tif 000015
【図１３（ｂ）】
2021521621.tif 000016
【図１３（ｃ）】
2021521621.tif 000017
【図１４】
2021521621.tif 000018
【図１５】
2021521621.tif 000019
【図１６】
2021521621.tif 000020
【図１７】
2021521621.tif 000021
【図１８】
2021521621.tif 000022
【図１９】
2021521621.tif 000023
【図２０】
2021521621.tif 000024
【図２１】
2021521621.tif 000025
【図２２】
2021521621.tif 000026
【図２３】
2021521621.tif 000027
【図２４】
2021521621.tif 000028
【図２５】
2021521621.tif 000029
【図２６（ａ）】
2021521621.tif 000030
【図２６（ｂ）】
2021521621.tif 000031
【図２７（ａ）】
2021521621.tif 000032
【図２７（ｂ）】
2021521621.tif 000033
【図２８（ａ）】
2021521621.tif 000034
【図２８（ｂ）】
2021521621.tif 000035
【図２８（ｃ）】
2021521621.tif 000036
【国際調査報告】
2021521621.tif 000037
2021521621.tif 000038